(57)【要約】【課題】  無線タグが電波を受信できていない場合においても、物理的およびシステム的両面で無線タグの読取り不具合を早期に検知することを目的とする。【解決手段】  無線タグと予備用の無線タグとを具備し、それぞれにデータ読取り時に無線タグに発生する電圧値を読取るセンサと発光素子とを具備する。予備用の無線タグに発生する電圧を無線タグの駆動電圧として取込むことで、電波を受信できていない場合においても、予備用の無線タグに発生する電圧を利用して無線タグの発光素子を発光させ、読取り不具合を物理的に検知する。また、リーダ／ライターとサーバとを具備し、無線タグおよび予備用の無線タグに発生する電圧値をリーダ／ライターおよびサーバに通知することにより、システム的にも読取り不具合を検知できる。【選択図】  図１
2006018543.tif 000002
【特許請求の範囲】
【請求項１】
アンテナと電源回路部と負荷回路部とを有する無線タグにおいて、
データ読取り時に無線タグに発生する電圧値を読取るセンサと発光素子とを具備することを特徴とする無線タグ。
【請求項２】
無線タグを用いた読取り不具合検知システムであって、
前記無線タグは、アンテナと電源回路部と負荷回路部とデータ読取り時に発生する電圧値を読取るセンサと発光素子とを具備し、
前記無線タグと予備用の前記無線タグとを具備し、
予備用の前記無線タグに発生する電圧を前記無線タグの駆動電圧として取込み、
前記無線タグに発生する電圧を予備用の前記無線タグの駆動電圧として取込むことで、データ読取り時に前記無線タグが電波を受信できていない場合においても、予備用の前記無線タグに発生する電圧を利用して前記無線タグの発光素子を発光させることにより、その読取り不具合を検知することを特徴とする無線タグを用いた読取り不具合検知システム。
【請求項３】
請求項２記載の無線タグを用いた読取り不具合検知システムにおいて、
無線タグのデータを読み書きするリーダ／ライターと無線タグからのデータを処理するサーバとを具備し、
前記無線タグおよび予備用の前記無線タグに発生する電圧値をリーダ／ライターおよびサーバに通知することにより、物理的およびシステム的両面で読取り不具合を検知することを特徴とする請求項２記載の無線タグを用いた読取り不具合検知システム。
【発明の詳細な説明】
【技術分野】
【０００１】
本発明は、無線周波数を使い、電池を持たない無線タグの読取り不具合検知に関する。
【背景技術】
【０００２】
従来、無線周波数帯を使用する電池を持たない無線タグは、無線タグの故障、無線タグとリーダ／ライターとの距離が離れる、無線タグとリーダ／ライターとの向きが悪い、などの原因で無線タグからのデータが読めなくなる、読取り不具合が起こっていた。
しかし、読取り不具合がいつ発生するか分からないため、読取り不具合を早期に検知することができなかった。また複数の商品に無線タグが貼付されていた場合、どの商品に貼付された無線タグに読取り不具合が起こっているか検知することができなかった。
【０００３】
また、無線タグ、その製造方法及びその配置方法（特許文献１）での発光するＬＥＤを備えたことを特徴とする無線タグおよび非接触ＩＣカード（特許文献２）での通信が行われている際に報知素子が動作することを特徴とする非接触ＩＣカードが提案されているが、いずれも無線タグおよび非接触ＩＣカードが電波を受信できている読取り正常時に発光素子を発光させ駆動可能状態を示すことは可能であるが、電波を受信できていない読取り不具合時に発光素子を発光させ、その不具合を検知することはできなかった。
【０００４】
また発光素子を発光させる物理的な読取り不具合検知方法のみでなく、システム的にも読取り不具合を同時に検知できることはできなかった。
【０００５】
【特許文献１】特開２０００−３３２５２３号公報
【特許文献２】特開平９−１１４９４５号公報
【発明の開示】
【発明が解決しようとする課題】
【０００６】
本発明は、無線タグが電波を受信できていない場合読取り不具合を早期に検知することが難しかった無線タグに対して、読取り不具合を早期に検知するシステムを提供するものである。
【課題を解決するための手段】
【０００７】
上記課題を解決するために本発明は、アンテナと電源回路部と負荷回路部とを有する無線タグにおいて、データ読取り時に無線タグに発生する電圧値を読取るセンサと発光素子とを具備することを第1の特徴とする。
【０００８】
更に本発明は、無線タグと予備用の無線タグとを具備し、予備用の無線タグに発生する電圧を無線タグの駆動電圧として取込み、無線タグに発生する電圧を予備用の無線タグの駆動電圧として取込むことで、データ読取り時に無線タグが電波を受信できていない場合においても、予備用の無線タグに発生する電圧を利用して無線タグの発光素子を発光させることにより、その読取り不具合を物理的に検知できることを第２の特徴とする。
【０００９】
更に本発明は、無線タグ読取り不具合検知システムと無線タグのデータを読み書きするリーダ／ライターと無線タグからのデータを処理するサーバとを具備し、無線タグおよび予備用の無線タグに発生する電圧値をリーダ／ライターおよびサーバに通知することにより、物理的およびシステム的両面（ハードウエア、ソフトウエアの両方を用いた方法）で読取り不具合を検知できることを第３の特徴とする。
【発明の効果】
【００１０】
本発明の無線タグ読取り不具合検知システムにより、無線タグが電波を受信できていない場合においても、物理的およびシステム的両面で無線タグの読取り不具合を早期に検知することができる。
【００１１】
また複数の商品に無線タグが貼付されていた場合、どの商品に貼付された無線タグに読取り不具合が起こっているかを早期に検知し特定することができる。
【発明を実施するための最良の形態】
【００１２】
以下本発明の一実施形態による無線タグおよびそれを使用した無線タグ読取り不具合検知システムについて、図面を参照して詳細に説明する。
【００１３】
図１は本実施形態による無線タグ読取り不具合検知システムの構成を示す図である。図１において、１２はリーダ／ライターと無線タグおよび無線タグ（予備用）との間の電波である。サーバ１から発行されたデータ読取りコマンド１３をネットワーク２を介してリーダ／ライター３が受け、リーダ／ライター３から商品４に貼付された無線タグ５及び無線タグ（予備用）６にデータ読取り動作が行われる。無線タグ５は読取り時に発生する無線タグ５の電圧値を検知する無線タグのセンサ７および無線タグの発光素子９を備えている。
【００１４】
無線タグ（予備用）６も読取り時に発生する無線タグ（予備用）の電圧値を検知する無線タグ（予備用）のセンサ８および無線タグ（予備用）の発光素子１０を備えている。１１は無線タグ読取り不具合時の発光素子による発光である。
【００１５】
尚、サーバ１は、上述のデータ送受信や各種データ処理等を行うために必要なプログラムが実行されるコンピュータである。サーバ１は、上述のプログラムを実行するために必要なメモリやディスク等の記憶部、プロセッサ等の処理部、データ送受信に必要となる通信部などを備えている。
【００１６】
図２は本実施形態による無線タグの回路構成を示す図である。
リーダ／ライター３からの電波１２を無線タグのアンテナ５１が受け、無線タグの電源回路５２に電圧が発生し、電源が無線タグの論理回路５３、無線タグのメモリ５４に供給される。無線タグのメモリ５４には、あらかじめ無線タグのＩＤ５４１が記憶されている。
【００１７】
無線タグ５の回路構成は無線タグの電源回路部５５および無線タグの負荷回路部５６から構成される。無線タグの電源回路部５５では、無線タグのカップリングコンデンサ５５１にチャージされた電荷相当の電圧が無線タグのダイオード５５２の入力信号に加算される。これにより、無線タグのダイオード５５２の出力として無線タグの電圧５５４が発生する。その他、５５３は無線タグの平滑コンデンサ、５６１は無線タグの負荷抵抗である。
【００１８】
図３は本実施形態による無線タグ（予備用）の回路構成を示す図である。無線タグ（予備用）も無線タグと同様に無線タグ（予備用）の電圧６５４が発生する。図３において、６１は無線タグ（予備用）のアンテナ、６２は無線タグ（予備用）の電源回路、６３は無線タグ（予備用）の論理回路、６４は無線タグ（予備用）のメモリ、６５は無線タグ（予備用）の電源回路部、６６は無線タグ（予備用）の負荷回路部、６５１は無線タグ（予備用）のカップリングコンデンサ、６５２は無線タグ（予備用）のダイオード、６５３は無線タグ（予備用）の平滑コンデンサ、６６１は無線タグ（予備用）の負荷抵抗である。無線タグ（予備用）のメモリ６４には、あらかじめ無線タグ（予備用）のＩＤ６４１が記憶されている。
【００１９】
図４は本実施形態による無線タグ読取り時に無線タグに発生する電圧値を監視し、無線タグ読取り不具合をリーダ／ライター３およびサーバ１側でシステム的に検知し、同時に無線タグの発光素子で物理的に検知する方法を示す図である。図４において、７１は無線タグのセンサのＡ／Ｄ変換器、７２は無線タグのセンサのメモリ、７３は無線タグのセンサのシフトレジスタ、９１は無線タグの発光素子のＬＥＤ、９２は無線タグの発光素子のトランジスタである。
【００２０】
図５は本実施形態による無線タグ５からリーダ／ライター３およびサーバ１に送られるデータ項目を示す図である。図５において、５４１は無線タグのＩＤ、５４２は無線タグの電圧値、５４３は無線タグ（予備用）の電圧値である。無線タグの電圧値５４２は無線タグの順方向電圧５５４に起因するもの、無線タグ（予備用）の電圧値５４３は図６における無線タグ（予備用）の順方向電圧６５４に起因するものである。
【００２１】
図６は本実施形態による無線タグ（予備用）読取り時に無線タグ（予備用）に発生する電圧値を監視し、無線タグ（予備用）読取り不具合をリーダ／ライター３およびサーバ１側でシステム的に検知し、同時に無線タグ（予備用）の発光素子で物理的に検知する方法を示す図である。図６において、８１は無線タグ（予備用）のセンサのＡ／Ｄ変換器、８２は無線タグ（予備用）のセンサのメモリ、８３は無線タグ（予備用）のセンサのシフトレジスタ、１０１は無線タグ（予備用）の発光素子のＬＥＤ、１０２は無線タグ（予備用）の発光素子のトランジスタである。
【００２２】
図７は本実施形態による無線タグ（予備用）６からリーダ／ライター３およびサーバ１に送られるデータ項目を示す図である。図７において、６４１は無線タグ（予備用）のＩＤ、６４２は無線タグ（予備用）の電圧値、６４３は無線タグの電圧値である。無線タグ（予備用）の電圧値６４２は無線タグ（予備用）の順方向電圧６５４に起因するものであり、図５における無線タグ（予備用）の電圧値５４３と同じデータである。無線タグの電圧値６４３は無線タグの順方向電圧５５４に起因するものであり、図５における無線タグの電圧値５４２と同じデータである。
【００２３】
図４を用いて、本実施形態による無線タグ５に発生する無線タグの電圧５５４を監視する方法を説明する。
無線タグ５で発生する無線タグの電圧５５４を無線タグのセンサ７に取り込む。無線タグのセンサ７に取り込んだ無線タグの電圧５５４を、無線タグのセンサのＡ／Ｄ変換器７１に通し、無線タグのセンサのメモリ７２に記憶させる。無線タグのセンサのメモリ７２に記憶させた無線タグの電圧５５４を、無線タグのセンサのシフトレジスタ７３に通し、シリアルデータとして無線タグ５に送り出し無線タグのメモリ５４に記憶させる。同様の方法で取り出した無線タグ（予備用）の電圧値６５４も無線タグのメモリ５４に記憶させることで、無線タグのメモリ５４の内容には少なくとも図５のデータ項目（（無線タグのＩＤ５４１）＋（無線タグの電圧値５４２）＋（無線タグ（予備用）の電圧値５４３））が含まれ、このデータがリーダ／ライター３およびサーバ１に送られる。
【００２４】
図４を用いて、本実施形態によるデータ読取り時に無線タグが電波を受信できず、無線タグの電圧値が低くなり読取り不具合が発生した場合に、リーダ／ライター３およびサーバ１側で無線タグ読取り不具合をシステム的に検知する方法を説明する。
【００２５】
無線タグ５で読取り不具合が発生した場合（無線タグの電圧５５４がある閾値以下）、無線タグ５自体が動作できない状態なので、
（ア）リーダ／ライター３およびサーバ１側に、無線タグ５からのデータ（図５）
（ （無線タグのＩＤ５４１）＋（無線タグの電圧値５４２）＋（無線タグ（予備用）の電圧値５４３））
が来ない。
【００２６】
（イ）リーダ／ライター３およびサーバ１側で、無線タグ（予備用）６からのデータ（図７）
（ （無線タグ（予備用）のＩＤ６４１） ＋（無線タグ（予備用）の電圧値６４２）＋（無線タグの電圧値６４３） ）
を確認し、無線タグの電圧値６４３がある閾値以下になっている。
【００２７】
以上のことから、無線タグ５で読取り不具合が発生していることがリーダ／ライター３およびサーバ１側でシステム的に検知できる。この場合、サーバ側でアラームを画面表示させる。
【００２８】
図４を用いて、本実施形態による無線タグ５で読取り不具合が発生した場合（無線タグの電圧５５４がある閾値以下） 、無線タグの発光素子９を発光させ、無線タグ読取り不具合を物理的に検知する方法を説明する。
【００２９】
無線タグ５で発生する電圧（無線タグの電圧５５４）を無線タグの発光素子９に取り込む。
【００３０】
無線タグ（予備用）６から無線タグ（予備用）の電圧６５４を基準電圧として無線タグの発光素子９に取り込み、無線タグの電圧値５５４と無線タグ（予備用）の電圧値６５４を比較し、（無線タグの電圧値５５４−無線タグ（予備用）の電圧値６５４）がある閾値以上になったら無線タグの発光素子のＬＥＤ９１を発光させる回路としておく。
【００３１】
このように本実施例の無線タグ読取り不具合検知システムにより、無線タグが電波を受信できていない場合においても、物理的およびシステム的両面（ハードウエア、ソフトウエアの両方を用いた方法）で無線タグの読取り不具合を早期に検知することができる。
【００３２】
また複数の商品に無線タグが貼付されていた場合、どの商品に貼付された無線タグに読取り不具合が起こっているかを早期に検知し特定することができる。
【図面の簡単な説明】
【００３３】
【図１】本発明の一実施形態による無線タグ読取り不具合検知システムの構成を示す図
【図２】本発明の一実施形態による無線タグの回路構成を示す図
【図３】本発明の一実施形態による無線タグ（予備用）の回路構成を示す図
【図４】本発明の一実施形態による無線タグ読取り時に無線タグに発生する電圧値を監視し、無線タグ読取り不具合をリーダ／ライターおよびサーバ側でシステム的に検知し、同時に無線タグの発光素子で物理的に検知する方法を示す図
【図５】本発明の一実施形態による無線タグからリーダ／ライターおよびサーバに送られるデータ項目を示す図
【図６】本発明の一実施形態による無線タグ（予備用）読取り時に無線タグ（予備用）に発生する電圧値を監視し、無線タグ（予備用）読取り不具合をリーダ／ライターおよびサーバ側でシステム的に検知し、同時に無線タグ（予備用）の発光素子で物理的に検知する方法を示す図
【図７】本発明の一実施形態による無線タグ（予備用）からリーダ／ライターおよびサーバに送られるデータ項目を示す図
【符号の説明】
【００３４】
１：サーバ
２：ネットワーク
３：リーダ／ライター
４：商品
５：無線タグ
６：無線タグ（予備用）
７：無線タグのセンサ
８：無線タグ（予備用）のセンサ
９：無線タグの発光素子
１０：無線タグ（予備用）の発光素子
１１：読取り不具合時の発光素子による発光
１２：リーダ／ライターと無線タグおよび無線タグ（予備用）との間の電波
１３：サーバからのデータ読取りコマンド
１４：リーダ／ライターからサーバに送られる無線タグおよび無線タグ（予備用）のＩＤ、
電圧値データ
１５：読取り不具合を検知した場合のサーバのアラーム画面表示
５１：無線タグのアンテナ
５２：無線タグの電源回路
５３：無線タグの論理回路
５４：無線タグのメモリ
５５：無線タグの電源回路部
５６：無線タグの負荷回路部
５５１：無線タグのカップリングコンデンサ
５５２：無線タグのダイオード
５５３：無線タグの平滑コンデンサ
５５４：無線タグの順方向電圧
５６１：無線タグの負荷抵抗
６１：無線タグ（予備用）のアンテナ
６２：無線タグ（予備用）の電源回路
６３：無線タグ（予備用）の論理回路
６４：無線タグ（予備用）のメモリ
６５：無線タグ（予備用）の電源回路部
６６：無線タグ（予備用）の負荷回路部
６５１：無線タグ（予備用）のカップリングコンデンサ
６５２：無線タグ（予備用）のダイオード
６５３：無線タグ（予備用）の平滑コンデンサ
６５４：無線タグ（予備用）の順方向電圧
６６１：無線タグ（予備用）の負荷抵抗
７１：無線タグのセンサのＡ／Ｄ変換器
７２：無線タグのセンサのメモリ
７３：無線タグのセンサのシフトレジスタ
９１：無線タグの発光素子のＬＥＤ
９２：無線タグの発光素子のトランジスタ
５４１：無線タグのＩＤ
５４２：無線タグの電圧値
５４３：無線タグ（予備用）の電圧値
８１：無線タグ（予備用）のセンサのＡ／Ｄ変換器
８２：無線タグ（予備用）のセンサのメモリ
８３：無線タグ（予備用）のセンサのシフトレジスタ
１０１：無線タグ（予備用）の発光素子のＬＥＤ
１０２：無線タグ（予備用）の発光素子のトランジスタ
６４１：無線タグ（予備用）のＩＤ
６４２：無線タグ（予備用）の電圧値
６４３：無線タグの電圧値
【図１】
2006018543.tif 000003
【図２】
2006018543.tif 000004
【図３】
2006018543.tif 000005
【図４】
2006018543.tif 000006
【図５】
2006018543.tif 000007
【図６】
2006018543.tif 000008
【図７】
2006018543.tif 000009